(57)【要約】      （修正有）【課題】ファンの使用寿命を延ばし,人体に悪影響を与えず,低騒音の目的を達成し、粉塵、油煙を換気する排気分離式換気扇を提供する。【解決手段】レンジフードカバー１は通風口２を具有し、ダクト３はレンジフードと消音ボックス４の管と連結し、該消音ボックス内にファン７を設けており、ファンの通風口は吹出し口８において複数のラッパ型ベンチュリ管９の拡大した開口に臨んで配置され、ファンの形成する高速気流に伴ってレンジフードからの油煙を含む空気はベンチュリー効果によって吸引され、レンジフードカバーからダクトを経由して消音ボックス４で通風口から送られた外気と混合して排気される。油煙を含み空気はファンを通らない為、ファンの羽は清潔に保たれ、掃除、交換の手間がかからず、使用寿命が延びる。【選択図】図７
0003104707.tif 000002
【実用新案登録請求の範囲】
【請求項１】
食品を煮炊きする際に発生する油煙などを換気する換気装置において、
上部へ通風口を設けたレンジフードカバー、  レンジフードカバーの該通風口と消音ボックスの管とを連結するダクト、及び脚を具有する消音ボックスからなり、
該消音ボックスは、複数のラッパ型ベンチュリ管をラッパ状開口を間隔を設けて直列配置し、ファンからの高速気流を送り出す通気口を最前列の該ベンチュリ管のラッパ型開口に向けて配置し、
ファンにより形成された高速気流がベンチュリー管のラッパ型開口部において発揮するベンチュリー作用により、食品を煮炊きする際に発生する油煙などをレンジフードカバーからダクトを経て吸引してファンを直接通過させずに排出することにより、ファンの羽への油煙などの付着を防止したことを特徴とする排気分離式換気扇の構造。
【請求項２】
前記ファンを設ける位置は、ラッパ型ベンチュリ管列の末端、又は中段に設置したことを特徴とする請求項１に記載する排気分離式換気扇の構造。
【請求項３】
前記ラッパ型ベンチュリ管の設置数は、必要に応じて一以上としたことことを特徴とすることを特徴とする請求項１に記載する排気分離式換気扇の構造。
【請求項４】
前記消音ボックスは垂直に立てるタテ型、水平に横にするヨコ型又は僅かだけ傾ける傾斜型としたことを特徴とする請求項１に記載する排気分離式換気扇の構造。
【請求項５】
前記消音ボックス内部のラッパ型ベンチュリ管を導管に変えたことを特徴とする請求項１に記載する排気分離式換気扇の構造。
【請求項６】
前記ファンを屋外へ設置し、直接油煙を屋外へ排出するようにしたことを特徴とする請求項１に記載する排気分離式換気扇の構造。
【考案の詳細な説明】
【技術分野】
【０００１】
本考案は、粉塵、油煙の排気を換気する装置であり、特に一般家庭において食品を煮炊きする際に発生する油煙を換気することに適用する排気分離式換気扇に関わる。
【背景技術】
【０００２】
公知のレンジフード内にファンを設ける公知の換気扇は下記の欠点が上げられる。
・油煙がファンの羽にこびりつき、常に掃除しなくてはならない。
・騒音。
・騒音が人体の健康に悪影響を及ぼす。
・掃除し難く時間がかかる。
・洗剤（液体状）を使用すると、環境汚染につながる。
上記により、公知の換気扇は環境及び人体に悪い影響を与えるものであり、改善する必  要がある。
【特許文献１】特開２０００−２８１６７号公報
【考案の開示】
【考案が解決しようとする課題】
【０００３】
上述公知の構造の欠点を解決するため、主にファンの使用寿命を延ばし、低騒音の目的を達成すべく排気分離式換気扇の構造を提供することを課題とする。
【課題を解決するための手段】
【０００４】
上記課題を解決するため、
請求項１の考案は、粉塵、油煙を換気する装置に係り、特に一般家庭において食品を煮炊きする際に発生する油煙を換気することに適用し、
上部へ通風口を設けるレンジフードカバー、
レンジフードカバーへ設ける該通風口と消音ボックスの管とを連結し、油煙が流れる大きめの通孔を具有するダクト、
端に脚を設ける消音ボックス、該消音ボックス内へファンを設け、該ファンの通風口へ吹出し口を設けた後、更に複数のラッパ型ベンチュリ管を設け、該ラッパ型ベンチュリ管は間隔を開けて配列し、螺旋桿によりラッパ型ベンチュリ管は２枚の板間に固定され、該消音ボックスの形状は必要に応じて四角形、円形又は多辺形とすることができ、使用環境に適応し、
ファンを始動することにより風力が発生し、ファンにより通風口へ流れ、ラッパ型ベンチュリ管の末端へ流れ、風力を利用する快速流動は圧力の差を発生して吸引力（負圧力）を形成し、ベンチュリ管の効果を活用し、食品を煮炊きする際に発生する油煙はレンジフードカバーからダクトへ流れ消音ボックスへ流れ排出され、ファンへ油煙が通過しないため、ファンの羽を掃除する必要がなく、使用寿命が延び、又ファンを消音ボックスで覆設して屋外に設けることにより、もう一つの目的である低騒音も達成することを特徴とする排気分離式換気扇の構造。
請求項２の考案は、前記ファンを設ける位置は、ラッパ型ベンチュリ管の末端へ設置、又は中段に設置することが可能であり、同様に低騒音の目的を達成することを特徴とする請求項１に記載する排気分離式換気扇の構造。
請求項３の考案は、前記ラッパ型ベンチュリ管の設置は、必要に応じて一つから設けることができ、同様に低騒音の目的を達成することを特徴とすることを特徴とする請求項１に記載する排気分離式換気扇の構造。
請求項４の考案は、前記消音ボックスは垂直に立てるタテ型、水平に横にするヨコ型又は僅かだけ傾ける傾斜型と環境に応じて設けることが可能であり、同様に低騒音の目的を達成することを特徴とする請求項１に記載する排気分離式換気扇の構造。
請求項５の考案は、前記消音ボックス内部のラッパ型ベンチュリ管を導管に変えることもでき、同様に低騒音の目的を達成することを特徴とする請求項１に記載する排気分離式換気扇の構造。
請求項６の考案は、前記ファンを屋外へ設置し、直接油煙を屋外へ排出することができることを特徴とする請求項１に記載する排気分離式換気扇の構造。
【０００５】
すなわち、上記各考案は、主にファンの使用寿命を延ばし、人体に悪影響を与えず、且つ低騒音の目的を達成する排気分離式換気扇の構造である。
【考案の効果】
【０００６】
本考案によれば、ファンの使用寿命を延ばし、人体に悪影響を与えず、且つ低騒音の目的を達成するという効果を有する。
【考案を実施するための最良の形態】
【０００７】
本考案の実施例を図に沿って説明すれば、図１、２、３及び７に示すように、本考案の排気分離式換気扇の構造は、粉塵、油煙を換気する装置であり、特に一般家庭において食品を煮炊きする際に発生する油煙を換気するものである。
【０００８】
上部へ通風口２を設けるレンジフードカバー１、
レンジフードカバー１へ設ける該通風口２と消音ボックス４（図４，５参照）の管とを連結し、油煙が流れる大きめの通孔を具有するダクト３、
端底部に脚６（図７）を設ける消音ボックス４、該消音ボックス４内へファン７を設け、該ファン７の通風口へ吹出し口８を設けた後、更に複数のラッパ型ベンチュリ管９を設け、該ラッパ型ベンチュリ管９は間隔を開けて配列し、螺旋桿１０によりラッパ型ベンチュリ管９は２枚の板１１間に固定され、該消音ボックス４の形状は必要に応じて四角形、円形又は多辺形とすることができ、使用環境に適応し、
ファン７を駆動することにより風圧が発生し、ファン７により通風口１２へ流れ、ラッパ型ベンチュリ管９の末端へ流れる高速気流は圧力の差を発生して吸引力（負圧力）を形成し、ベンチュリ効果を活用し、食品を煮炊きする際に発生する油煙５はレンジフードカバー１からダクト３へ流れ消音ボックス４へ流れ排出され、ベンチュリ管９は間隔を開けて配列しているため該間隔と間隔の間の空間１３へ流れ順に排出され、ファン７へ油煙５が通過しないため、ファン７の羽を掃除する必要がなく、使用寿命が延び、又ファン７を消音ボックス４ーで覆設して屋外に設けることにより、もう一つの目的である低騒音も達成することを特徴とする排気分離式換気扇の構造。
【０００９】
更に、本考案を実施するとき、ダクト３に連結するファン７を屋外１４へ設け（図６参照）、直接油煙を換気することができる。
【００１０】
更に、本考案を実施するとき、該ファン７を設置する位置をラッパ型ベンチュリ管９末端１５（図８参照）へ設け、又は中段１６（図９参照）へ設けることができ、同様に低騒音の効果を達成する。
【００１１】
更に本考案を実施するとき、該ラッパ型ベンチュリ管９を必要に応じ一つから設けることが可能であり、同様に低騒音の効果を達成する。
【００１２】
更に、該消音ボックス４は、垂直に立てるタテ型（図８参照）、水平に横にするヨコ型（図１０）又は僅かだけ傾ける傾斜型（図１０参照）と環境に応じて設けることが可能であり、同様に低騒音の目的を達成する
【００１３】
更に、該消音ボックス４内部のラッパ型ベンチュリ管９は導管１９へ変える（図４、５参照）ことが可能であり、同様に低騒音の目的を達成する。
【産業上の利用可能性】
【００１４】
上述のとおり本考案は公知の技術を凌駕する効果を有し、確実に進歩性を具えており、且つ実用性を具えるものである。
本考案の進歩性と実用性を更なる明らかにするために、公知の技術と比較する。
公知の欠点
１．ファンを使用する度に騒音が発生する。
２．騒音のもとで仕事をすることは人体の健康に悪い影響を与える。
３．油煙がファンの羽へ付着してしまうため、常に掃除する必要がある。
４．掃除をする際に洗剤（液体）を使用することにより、環境汚染及び人体に危害を加      えることになる。
５．掃除し難く時間がかかる。
６．お金もかかる。
７．進歩的ではない。
８．産業上の競争力が欠乏している。
本考案の優れた点
１．ファンの羽を洗いかえる必要がない。
２．油煙がファンを通過しないため、ファンの使用寿命が長い。
３．屋外にて消音ボックスに包まれたファンの装置を設けるため、騒音が改善される目      的を達成した。
４．掃除にかかる費用を節約できる。
５．産業上の競争力を具有するものである。
６．斬新性を具える。
７．進歩性を具える。
【図面の簡単な説明】
【００１５】
【図１】本考案の立体図である。
【図２】本考案の部分立体図である。
【図３】本考案の実施における動作指示図である。
【図４】本考案のもう一つの実施例である導管の組み合わせ図である。
【図５】本考案のもう一つの実施例である導管での実施における動作指示図である。
【図６】本考案におけるファンを外部に設ける実施例図である。
【図７】本考案の実施状態図である。
【図８】本考案におけるファンを末端に設ける実施例図である。
【図９】本考案におけるファンを中段に設ける実施例図である。
【図１０】本考案における消音ボックスを水平にヨコ型として設置する実施例図である。
【符号の説明】
【００１６】
１      レンジフードカバー
２      通風口
３      ダクト
４      消音ボックス
５      油煙
６      脚
７      ファン
８      吹出し口
９      ベンチュリ管
１０    螺旋桿
１１    板
１２    通風口
１３    空間
１４    屋外
１５    末端
１６    中段
１７    タテ型
１８    ヨコ型
１９    導管
【図１】
0003104707.tif 000003
【図２】
0003104707.tif 000004
【図３】
0003104707.tif 000005
【図４】
0003104707.tif 000006
【図５】
0003104707.tif 000007
【図６】
0003104707.tif 000008
【図７】
0003104707.tif 000009
【図８】
0003104707.tif 000010
【図９】
0003104707.tif 000011
【図１０】
0003104707.tif 000012